(57)【要約】【課題】スイッチングハブにおいて、使われていないポートの検出と、このポートによる電力消費の削減を容易にする。【解決手段】各モジュラージャックコネクタ３1〜３nは、ＬＡＮ端末のケーブルコネクタが挿抜されたことをオン／オフ信号として検出するスイッチ４1〜４nをそれぞれ備える。  割込み制御部５は各スイッチが検出するケーブル挿抜ステータス信号が変化したときに、当該スイッチに対応するポートの使用／不使用を判定し、この判定結果をＣＰＵ１に割込みをかける。ＣＰＵは、割込みがあったとき、不使用になったポートのＰＨＹ部２1〜２nのパワーダウン制御を行う。【選択図】図１
2009049732.tif 000002
【特許請求の範囲】
【請求項１】
マイクロコンピュータ（ＣＰＵとメモリ）を搭載し、スイッチング部の制御によって、ＰＨＹ部とモジュラージャックコネクタ構成にした複数のポート部に接続されるＬＡＮ端末間の接続を制御するスイッチングハブにおいて、
前記各モジュラージャックコネクタは、ＬＡＮ端末のケーブルコネクタが挿抜されたことをオン／オフ信号として検出するスイッチをそれぞれ備え、
前記各スイッチが検出するケーブル挿抜のオン／オフ信号が変化したときに、当該スイッチに対応するポートの使用／不使用を判定し、この判定結果をＣＰＵに割込み信号とする割込み制御部を備え、
前記ＣＰＵは、前記割込みがあったとき、不使用になったポートの前記ＰＨＹ部の電源ダウンを行う制御手段を備えたことを特徴とするスイッチングハブ。
【発明の詳細な説明】
【技術分野】
【０００１】
本発明は、ローカルエリアネットワーク（ＬＡＮ）におけるポート間のディジタル信号の送受信を制御するスイッチングハブに係り、特に消費電力の低減に関する。
【背景技術】
【０００２】
この種のスイッチングハブは、マイクロコンピュータ（ＣＰＵとメモリ）を搭載し、スイッチング部（ＩＣ構成）の制御によって、ＰＨＹ部（物理層処理部：Ｐｈｙｓｉｃａｌ  Ｌａｙｅｒ）とモジュラージャックコネクタ構成にした複数のポート部に接続される端末間の中継接続を制御する。
【０００３】
スイッチングハブには、複数のポートが装備されている。多いものになると、２０ポート以上装備されている場合がある。しかし、全てのポートを使用していることは希であり、使われていないポートが多く存在することが多々ある。スイッチングハブの使われていないポートが多くなるとかなりの無駄な電力が消費されていることになる。
【０００４】
この消費電力の低減方式として、各ポートの使用状況を判断し、使用されていないポートが存在する場合、一部回路の動作周波数を制御して必要最低限の電流供給や発熱制御を行い、ランニングコスト及び騒音を低減するものがある（例えば、特許文献１参照）。
【特許文献１】特開２００２−３３５２６２号公報
【発明の開示】
【発明が解決しようとする課題】
【０００５】
従来の消費電力低減方式では、ＣＰＵ部で各ポートの使用状況を判断し、使用されていないポートの動作周波数をＶＣＯ（電圧制御発振器）で制御することになり、スイッチングハブには複雑な制御プログラムと周波数制御回路の増設が必要となる。
【０００６】
本発明の目的は、使われていないポートの検出と、このポートによる電力消費の削減を容易にしたスイッチングハブを提供することにある。
【課題を解決するための手段】
【０００７】
本発明は、前記の課題を解決するため、各モジュラージャックコネクタに端末ケーブルの挿抜状態を検出するスイッチを設け、この検出でＣＰＵに割込みをかけ、この割り込みでＣＰＵが不使用状態になったポートのＰＨＹ部のパワーダウンを行うようにしたもので、以下の構成を特徴とする。
【０００８】
（１）マイクロコンピュータ（ＣＰＵとメモリ）を搭載し、スイッチング部の制御によって、ＰＨＹ部とモジュラージャックコネクタ構成にした複数のポート部に接続されるＬＡＮ端末間の接続を制御するスイッチングハブにおいて、
前記各モジュラージャックコネクタは、ＬＡＮ端末のケーブルコネクタが挿抜されたことをオン／オフ信号として検出するスイッチをそれぞれ備え、
前記各スイッチが検出するケーブル挿抜のオン／オフ信号が変化したときに、当該スイッチに対応するポートの使用／不使用を判定し、この判定結果をＣＰＵに割込み信号とする割込み制御部を備え、
前記ＣＰＵは、前記割込みがあったとき、不使用になったポートの前記ＰＨＹ部の電源ダウンを行う制御手段を備えたことを特徴とする。
【発明の効果】
【０００９】
以上のとおり、本発明によれば、各モジュラージャックコネクタに端末ケーブルの挿抜状態を検出するスイッチを設け、この検出でＣＰＵに割込みをかけ、この割り込みでＣＰＵが不使用状態になったポートのＰＨＹ部のパワーダウンを行うようにしたため、使われていないポートの検出と、このポートによる電力消費の削減が容易になる。
【００１０】
そして、使われていないポートの消費電力を省くことにより、スイッチングハブの消費電力を低減できる。
【発明を実施するための最良の形態】
【００１１】
図１は、本発明の実施形態を示すスイッチングハブの要部構成図であり、ｎ個のポートを有してポート間をスイッチング制御する場合で示す。
【００１２】
ＣＰＵ部１は、不揮発性の半導体メモリ（図示省略）に記憶された制御プログラムの実行でスイッチングハブ内のＰＨＹ部２1〜２nやスイッチング部（図示省略）を制御する。
【００１３】
ＰＨＹ部２1〜２nは、モジュラージャックコネクタ３1〜３nとは伝送線で接続され、コネクタ３1〜３nに入力されたＬＡＮ端末からのディジタル信号を符号コードに変換する。この符号コードに含まれる宛先アドレスにより、スイッチング部がポートを決定し、このポートに入力情報を出力する。なお、ＰＨＹ部はパワーダウン（シャットダウン）モードに設定可能なものを使用する。
【００１４】
ここで、本実施形態では、各コネクタ３1〜３nの内部に、端末ケーブルの挿抜状態を自動認識するスイッチ４1〜４nと、割込み制御部５を設けておく。
【００１５】
スイッチ４1〜４nは、当該ポートに端末ケーブルのコネクタを挿入するとＯＮし、端末ケーブルのコネクタを抜くとＯＦＦになるオン／オフスイッチであり、このオン／オフ状態をケーブル挿抜ステータス信号として検出する。なお、スイッチ４1〜４nは、機械的なスイッチまたはフォトカプラ形式の光スイッチで実現される。
【００１６】
割込み制御部５は、スイッチ４1〜４nで検出するケーブル挿抜ステータス信号が変化したときに、その信号を内部のステータスレジスタに取り込み、このステータス信号が変化したことで当該スイッチに対応するポートの使用／不使用を判定し、この判定結果をＣＰＵ１に割込み信号とすると共にケーブル挿抜ステータス信号を読み出してＣＰＵ１に与える。この割込み制御部５は、ＣＰＵ１の正常動作をウオッチドッグタイマで監視するスイッチングハブには既設のものであり、これを利用することができる。
【００１７】
ＣＰＵ１は、ポートの使用／不使用の判定による割込みがあったとき、ＰＨＹ部２1〜２nのうち、不使用になったポートのＰＨＹ部の電源ダウンを行うパワーダウン・コントロールを実行する。このパワーダウン・コントロールは、ＣＰＵ１の制御プログラムとして予め追加しておくものであるが、少量のプログラムで済む。
【００１８】
以上の構成により、各ポートに対して端末ケーブルのコネクタが挿抜されると、モジュラージャックコネクタ３1〜３nの内部に設けたスイッチが自動的にＯＮ／ＯＦＦに切り換わり、これらのスイッチからの信号（ケーブル挿抜ステータス信号）を割込み制御部５のレジスタに取り込むことによって、ケーブルの挿抜状態が検出されＣＰＵ１への割り込みを発生し、ＣＰＵ１により、端末ケーブルが抜かれたポートのパワーダウンを行い、当該ポートによる電力消費を削減する。しかも、これら制御は、端末ケーブルの挿抜に応じて自動的に行われ、ユーザーがポート毎に設定する手間を不要にし、かつ確実に行われる。
【００１９】
例えば、端末ケーブルが挿入されたポートについては、端末ケーブルが挿入されると、ケーブル挿抜ステータス信号がＯＮし、ＣＰＵ１に割り込みが発生し、このステータスレジスタ信号からどのポートで状態が変化したのか判定し、当該ポートのＰＨＹ部の電源投入で通常動作モードに設定する。
【００２０】
逆に、端末ケーブルが抜き出されたポートについては、端末ケーブルが抜き出されると、ケーブル挿抜ステータス信号がＯＦＦし、ＣＰＵ１に割り込みが発生し、このステータスレジスタ信号からどのポートで状態が変化したのか判定し、当該ポートのＰＨＹ部のパワーダウンモードに設定し、消費電力を削減する。
【図面の簡単な説明】
【００２１】
【図１】本発明の実施形態を示すスイッチングハブの要部構成図。
【符号の説明】
【００２２】
１  ＣＰＵ
２1〜２n  ＰＨＹ部
３1〜３n  モジュラージャックコネクタ
４1〜４n  スイッチ
５  割込み部
【図１】
2009049732.tif 000003